(57)【要約】【課題】立て看板の倒伏を防ぐことが出来ながら、重量ある連結具と立て看板を、その都度分解することなく、簡単な構造改良でもって、搬送、収納、取り扱いが容易に行い得る立て看板転倒防止器具を提供すること。【解決手段】立て看板に用いる転倒防止器具であって、前記看板１の支柱１Ａともう一方の看板３の支柱３Ａ又は支え柱とを支持する、地部５Ａを備えた重量ある鋼材の連結部材５を設け、該連結部材５の両端に前記支柱１Ａ，３Ａ又は支え柱４を嵌入させる嵌合部５Ｂ，５Ｂ，を、兆番１２，１２により内側に折り畳み自在に夫々設け、且つ、前記連結部５の略中間位置を二分割し、上向きに折り畳み自在に兆番７で連結してある、【選択図】      図１
2005346020.tif 000002
【特許請求の範囲】
【請求項１】
両端下部に夫々支柱１Ａを備えた１枚の看板１の上部に兆番２を備え、該兆番２に、同様の構成のもう１枚の看板３又は支え柱を開脚自在に取り付け、前記看板１（又は看板３の両方）を歩道等に設置するように構成した立て看板に用いる転倒防止器具であって、
前記看板１の支柱１Ａともう一方の看板３の支柱３Ａ又は支え柱とを支持する、接地部５Ａを備えた重量ある鋼材の連結部材５を設け、
該連結部材５の両端に前記支柱１Ａ，３Ａ又は支え柱４を嵌入させる嵌合部５Ｂ，５Ｂ，を、兆番１２，１２により内側に折り畳み自在に夫々設け、且つ、
前記連結部５の略中間位置を二分割し、上向きに折り畳み自在に兆番７で連結してある、
立て看板転倒防止器具。
【請求項２】
前記嵌合部５Ｂ，５Ｂが鋼材の角筒材で構成され、前記支柱３Ａ又は支え柱を固定する蝶ネジボルト１０が設けられている請求項１の立て看板転倒防止器具。
【請求項３】
両端下部に夫々支柱１Ａを備えた１枚の看板１の上部に兆番２を備え、該兆番２に、同様の構成のもう１枚の看板３又は支え柱を開脚自在に取り付け、前記看板１（又は看板３の両方）を歩道等に設置するように構成した立て看板に用いる転倒防止器具であって、
前記看板１の支柱１Ａ、１Ａの底部を繋ぐ横桟８と、もう一方の看板３の支柱３Ａ、３Ａ又は支え柱の底部を繋ぐ横桟９とを支持する、接地部５Ａを備えた重量ある鋼材の連結部材５を設け、
該連結部材５の両端に前記支柱１Ａ，３Ａ又は支え柱の横桟８，９を嵌入させる嵌合部５Ｃ，５Ｃ，を、兆番１２，１２により内側に折り畳み自在に夫々設け、且つ、
前記連結部５の略中間位置を二分割し、上向きに折り畳み自在に兆番７で連結してある、
立て看板転倒防止器具。
【請求項４】
前記嵌合部５Ｃ，５Ｃが鋼材のチャンネル材で構成され、前記横桟８，９を固定する蝶ネジボルト１０が設けられている請求項３の立て看板転倒防止器具。
【発明の詳細な説明】
【技術分野】
【０００１】  本発明は、歩道等に立てて用いられる立て看板（標示板）の転倒防止器具に関するものである。
【技術背景】
【０００２】  脚立状の簡便な構造の立て看板（標示板）は、道路工事、交通標識の表示や、一般の小型店舗等の宣伝手段として多用されている。こうした立て看板の基本的な構成は、両端下部に夫々支柱を備えた１枚の看板の上部に兆番を備え、該兆番に、同様の構成のもう１枚の看板又は支柱を開脚自在に取り付け、前記看板（又は看板の両方）を歩道等に設置出来るようにされている。例えば、前述の１枚看板方式であれば、登録実用新案第３０７６８１４号を参照。
【０００３】  この種の立て看板の問題点として、簡便な構造である割に比較的大きな表示面積を有するが故に風に弱いという弱点がある。尤も、小型とはいえ、板面に金属製板を用いると、１０Ｋｇ乃至２０Ｋｇの重量を有するが、突風が吹くと倒れてしまうのである。
【０００４】  この改善策として、次ぎの手段が提案されている。
【特許文献１】登録実用新案第３０２７８０７号。この考案では、看板の下部に大型の基台を設け、これに対して看板を装着させるようにしている。前記基台は、４つの脚（２つはキャスター）により支えられる構成である。
【特許文献２】特開平８−５０４５６。ここでは、開脚型の看板の下部にバラスト（重り）を受け入れる籠を設け、ここにバラストを入れて風対策としている。
【特許文献３】実用新案登録第３０７８５２８号。ここでは、自立型の屋外スタンド看板をＬ型とし、下部に重しを一体的に設けてある。
【０００５】  風による立て看板の倒伏対策として、上記前者の特殊な基台を設けることは、その分コスト高を招くし、また、直立する１枚看板であれば、こうした基台の所定位置に嵌合、装着する方式でも良いが、２枚の開脚式の看板では適応出来ない。
また、上記後者の開脚式の立て看板にバラストを用いる方式は、特殊な基台を製作するよりも安価であるが、砂袋やウエイトを別途運び、立て看板の一部に載置、除去する手間も要する。
【０００６】  更に、これまでの簡易の立て看板で、一枚板、２枚板の看板の設置に際しては、道路工事や道路標識等では狭い設置スペースの場合も多々あるが、従来の看板の開脚角度が固定していると、設置上非常に不便であるという問題もある。
【０００７】  そして、突風による倒伏について研究を重ねると、看板の自重（１０〜２０Ｋｇ）があっても、その支柱による４点支持の構造では、接地設置が小さく、１本の支柱が浮き上がってしまうと、容易に内部に風を含み、全体が滑り出してバランスを崩し、暫時浮き上がり現象が増幅して容易に倒伏に至ることが分かってきた。
【０００８】  そこで、本発明者は、かかる問題を解決し、立て看板に製作コストが大幅に増大するような大きな改良を施すことなく、突風によって容易に倒伏しない立て看板を提供し、また、道路工事現場等の狭い設置スペースに適用できるように、立て看板の開脚角度を調節できるようにすることを目的として、特願２００４−７１６８３において、次ぎの提案を成した。
即ち、図１０に示すように、両端下部に夫々支柱１Ａを備えた１枚の看板１の上部に兆番２を備え、該兆番２に、同様の構成のもう１枚の看板３を開脚自在に取り付け、前記看板１（又は看板３の両方）を歩道等に設置するように構成した立て看板において、前記看板１の支柱１Ａともう一方の看板３の支柱３Ａとを支持する、接地部５Ａを備えた連結部材５、５を設け、該連結部材５の両端に前記支柱１Ａ，３Ａ又は４を嵌入させる嵌合部５Ｂ，５Ｂ，を夫々設け、且つ該連結部５を重りに構成してあるという手段を講じたのである。
【発明の開示】
【発明が解決しようとする課題】
【０００９】  しかし、この手段を講じることによって、従来の看板の支柱（２枚看板の場合、或いは１枚看板ともう一方の支柱）の４点支持とするのではなく、底部にそれぞれ接地部５Ａを有する連結部材５，５でもって、摩擦抵抗の大きな状態で接地させることができ、突風によって看板が横滑りしようとしても、滑り抵抗が大きくて容易には移動しなくなり、また、１本の支柱を持ち上げようとしても、前後で連結されているので、容易に一方の支柱だけ持ち上がるものではなく、容易に浮き上がって突風を内部に含ませるといった事態を未然に回避できて、倒伏を防止できるという効果を奏することはできたが、次の問題点を明らかになった。【００１０】  即ち、立て看板を重量あるものに構成したことで、脚立状（三角形状）のままであるため、重量ある立て看板の搬送、収納時の取り扱いが不便であった。
また、搬送時、収納時に連結部材から立て看板を取り外すことは可能であるが、その手間を要するという問題もあった。【００１１】  本発明は、かかる問題に鑑み、立て看板の倒伏を防ぐことが出来ながら、重量ある連結具と立て看板を、その都度分解することなく、簡単な構造改良でもって、搬送、収納、取り扱いが容易に行い得る立て看板転倒防止器具を提供することを目的とする。
【課題を解決するための手段】
【００１２】  本発明にかかる立て看板転倒防止器具は、上記目的を達成するために、両端下部に夫々支柱１Ａを備えた１枚の看板１の上部に兆番２を備え、該兆番２に、同様の構成のもう１枚の看板３又は支え柱を開脚自在に取り付け、前記看板１（又は看板３の両方）を歩道等に設置するように構成した立て看板に用いる転倒防止器具であって、前記看板１の支柱１Ａともう一方の看板３の支柱３Ａ又は支え柱とを支持する、接地部５Ａを備えた重量ある鋼材の連結部材５を設け、該連結部材５の両端に前記支柱１Ａ，３Ａ又は支え柱４を嵌入させる嵌合部５Ｂ，５Ｂ，を、兆番１２，１２により内側に折り畳み自在に夫々設け、且つ、前記連結部５の略中間位置を二分割し、上向きに折り畳み自在に兆番７で連結してある、という手段を講じた。【００１３】  また、本発明は、上記目的を達成するために、支柱１Ａを備えた１枚の看板１の上部に兆番２を備え、該兆番２に、同様の構成のもう１枚の看板３又は支え柱を開脚自在に取り付け、前記看板１（又は看板３の両方）を歩道等に設置するように構成した立て看板に用いる転倒防止器具であって、前記看板１の支柱１Ａ、１Ａの底部を繋ぐ横桟８と、もう一方の看板３の支柱３Ａ、３Ａ又は支え柱の底部を繋ぐ横桟９とを支持する、接地部５Ａを備えた重量ある鋼材の連結部材５を設け、該連結部材５の両端に前記支柱１Ａ，３Ａ又は支え柱の横桟８，９を嵌入させる嵌合部５Ｃ，５Ｃ，を、兆番１２，１２により内側に折り畳み自在に夫々設け、且つ、前記連結部５の略中間位置を二分割し、上向きに折り畳み自在に兆番７で連結してある、という手段を講じた。
【発明の効果】
【００１４】  本発明にかかる立て看板転倒防止器具によれば、連結部５を鋼材を用いた重りに構成してあることで、立て看板の接地を、従来の看板の支柱（２枚看板の場合、或いは１枚看板ともう一方の支柱）の４点支持とするのではなく、底部にそれぞれ接地部５Ａを有する連結部材５，５でもって、摩擦抵抗の大きな状態で接地させることができ、突風によって看板が横滑りしようとしても、滑り抵抗が大きくて容易には移動しなくなり、また、１本の支柱を持ち上げようとしても、前後で連結されているので、容易に一方の支柱だけ持ち上がるものではなく、容易に浮き上がって突風を内部に含ませるといった事態を未然に回避できて、倒伏を防止できるという基本的な効果に加えて次の利点がある。【００１５】  即ち、上記連結部５が兆番７によって中折れし、また、嵌合部５Ｂ或いは５Ｃが、連結部５に対して兆番１２によって立て看板１の内側（三角形状の看板の内側）に折れ曲がることが出来ることにより、この転倒防止器具は、立て看板の支柱１Ａ，３Ａを取り付けたままの状態で折り畳むことが可能となり、従って、立て看板の連結部５に対する着脱作業を必要とすることなく、折り畳んだ状態でトラックに搭載して搬送し、収納することができ、また、その収納保管状態のままで搬送して工事現場等で立て看板を広げるだけで設置することできるという利便性が得られたものである。
【発明を実施するための最良の形態】
【００１６】  本発明の形態として、前記嵌合部５Ｂ，５Ｂが鋼材の角筒材で構成され、前記支柱３Ａ又は支え柱を固定する蝶ネジボルト１０が設けられている場合には、立て看板１の取り付けに際して、嵌合手段で簡単に取り付け可能であると共に蝶ネジボルト１０によって、工具を必要とすることなく容易に固定、固定解除できる利点がある。【００１７】また、前記嵌合部５Ｃ，５Ｃが鋼材のチャンネル材で構成され、前記横桟８，９を固定する蝶ネジボルト１０が設けられている場合には、立て看板の横桟８，９に対して嵌め合わせによって容易にセットすることができ、その蝶ネジボルト１０によって、工具を必要とすることなく容易に固定、固定解除できる利点がある。
【実施例１】
【００１８】  本発明にかかる立て看板転倒防止の好適実施例１について、図面を参照して詳述する。
図１から図５に示すように、ここでは、２枚の看板１、３を、その上辺を兆番２で開脚自在に連結した両面表示タイプの看板について説明する。この看板１の基本構成は、両端下部に夫々支柱１Ａを備えた１枚の看板１の上部に兆番２を備え、該兆番２に、同様の構成のもう１枚の看板３を開脚自在に取り付け、前記看板１と看板３の両方を歩道等に、所定の開脚角度で設置するように構成してある。【００１９】  そして、前記看板１の支柱１Ａともう一方の看板３の支柱３Ａとを支持する、接地部５Ａを備えた連結部材５、５を設ける。この連結部材５は、ここでは、重量ある厚みの鋼板製の板状体で構成されており、それ自体重量を持っている。そして、この連結部材５の両端に前記支柱１Ａ，３Ａを嵌入させる嵌合部５Ｂ，５Ｂ，を夫々設けてある。【００２０】  更に、前記連結部５が長手方向で２分割され、両者が兆番７によって、上向きに中折れ自在に連結されている。
そして、該連結部材５の両端に前記支柱１Ａ，３Ａ又は支え柱４を嵌入させる嵌合部５Ｂ，５Ｂ，を、兆番１２，１２により内側に折り畳み自在に夫々設け、且つ、前記連結部５の略中間位置を二分割し、上向きに折り畳み自在に兆番７で連結してある。
【実施例２】
【００２１】  図６から図９に示すように、この実施例２の立て看板１は、基本的には実施例１と同じであるので、ここでの重複説明は省く。
そして、相違する特徴構成は、前記看板１の支柱１Ａ、１Ａの底部を繋ぐ横桟８と、もう一方の看板３の支柱３Ａ、３Ａ又は支え柱の底部を繋ぐ横桟９とを支持する、接地部５Ａを備えた重量ある鋼材の連結部材５を設けてある。【００２２】  そして、前記連結部材５の両端に前記支柱１Ａ，３Ａ又は支え柱の横桟８，９を嵌入させる嵌合部５Ｃ，５Ｃ，を、兆番１２，１２により内側に折り畳み自在に夫々設け、且つ、前記連結部５の略中間位置を二分割し、上向きに折り畳み自在に兆番７で連結してある点である。
また、前記嵌合部５Ｃ，５Ｃが鋼材のチャンネル材で構成され、前記横桟８，９を固定する蝶ネジボルト１０が設けられているのである。
【産業上の利用可能性】
【００２４】  本発明は、野ざらしで突風を受けやすい道路工事現場等における標識、或いは交通標識としての看板機能のみならず、一般店舗の宣伝広告用の看板として用いることができると共にその他の種々の目的の標示手段としても利用出来る。
【図面の簡単な説明】
【００２５】
【図１】実施例１の立て看板転倒防止器具の全体の斜視図。
【図２】実施例１の立て看板転倒防止器具の全体の側面図。
【図３】実施例１の立て看板転倒防止器具の全体の平面図。
【図４】実施例１の立て看板転倒防止器具の全体の一使用形態を示す側面図。
【図５】実施例１の立て看板転倒防止器具の全体の一使用形態を示す側面図。
【図６】実施例２の立て看板転倒防止器具の全体の斜視図。
【図７】実施例２の立て看板転倒防止器具の全体の側面図。
【図８】実施例２の立て看板転倒防止器具の全体の一使用形態を示す斜視図。
【図９】実施例１の立て看板転倒防止器具の全体の一使用形態を示す斜視図。
【図１０】従来例を示す立て看板転倒防止器具の全体の斜視図。
【符号の説明】
１：看板
１Ａ：支柱
２：兆番
３：もう１つの看板
３Ａ：支柱
５：連結部
５Ａ：接地部
５Ｂ嵌合部
５Ｃ：嵌合部
８：横桟
９：横桟
１０：蝶ネジボルト
１２：兆番
【図１】
2005346020.tif 000003
【図２】
2005346020.tif 000004
【図３】
2005346020.tif 000005
【図４】
2005346020.tif 000006
【図５】
2005346020.tif 000007
【図６】
2005346020.tif 000008
【図７】
2005346020.tif 000009
【図８】
2005346020.tif 000010
【図９】
2005346020.tif 000011
【図１０】
2005346020.tif 000012